(57)【要約】【課題】大型化を抑制するとともに、場所によって異なる疑似的な屋外光を出射することができる光環境演出システムを提供する。【解決手段】光環境演出システム１００は、造営材に並び方向に配列された、第１光環境演出装置と、第２光環境演出装置とを備える。また、隣り合う第１光環境演出装置及び第２光環境演出装置の各々は、光源６０と、光が通過する収容開口部３ｃを有する筐体３と、透光性を有し、収容開口部３ｃに配置された拡散板５とを備える。さらに、第１光環境演出装置及び第２光環境演出装置の各々の筐体３は、筐体３の内面に青色の非鏡面である光拡散面４１を有する。また、第１光環境演出装置の筐体３の内面における少なくとも一部の面の色は、第２光環境演出装置の筐体３の内面における少なくとも一部の面の色よりも濃い又は淡い青色である。そして、光源６０が出射した光は、内面を介して拡散板５に入射される。【選択図】図６
2018170156.tif 000002
【特許請求の範囲】
【請求項１】
造営材に並び方向に配列された、第１光環境演出装置と、第２光環境演出装置とを備えた光環境演出システムであって、
隣り合う前記第１光環境演出装置及び前記第２光環境演出装置の各々は、
光源と、
光が通過する開口部を有する筐体と、
透光性を有し、前記開口部に配置された拡散板とを備え、
前記第１光環境演出装置及び前記第２光環境演出装置の各々の前記筐体は、前記筐体の内面に青色の非鏡面である光拡散面を有し、
前記第１光環境演出装置の前記筐体の前記内面における少なくとも一部の面の色は、前記第２光環境演出装置の前記筐体の前記内面における少なくとも一部の面の色よりも濃い又は淡い青色であり、
前記光源が出射した光は、前記内面を介して前記拡散板に入射される
光環境演出システム。
【請求項２】
前記光拡散面は、複数の繊維を積層した積層体によって形成される
請求項１に記載の光環境演出システム。
【請求項３】
前記光拡散面は、化学繊維又はセルロース繊維を積層した紙状積層体によって形成される
請求項１又は２に記載の光環境演出システム。
【請求項４】
さらに、平面視した場合に、前記光源を覆うように設けられる枠部を備え、
前記枠部は、前記光源が出射する光の一部を遮光するように、前記筐体の内部に突出する遮光突出部を有する
請求項１〜３のいずれか１項に記載の光環境演出システム。
【請求項５】
前記光源の光軸は、前記開口部と対向する前記筐体の底壁部の前記光拡散面と交差している
請求項１〜４のいずれか１項に記載の光環境演出システム。
【請求項６】
前記筐体は、前記底壁部と、前記底壁部を囲む内周側壁部とを有し、
前記第１光環境演出装置の前記内周側壁部における、少なくとも一部の前記光拡散面での光の反射率は、前記第２光環境演出装置の前記内周側壁部における、少なくとも一部の前記光拡散面での光の反射率よりも小さい
請求項５に記載の光環境演出システム。
【請求項７】
前記第１光環境演出装置の前記底壁部における前記光拡散面での光の反射率は、前記第２光環境演出装置の前記底壁部における前記光拡散面での光の反射率よりも小さい
請求項５に記載の光環境演出システム。
【請求項８】
前記第１光環境演出装置及び前記第２光環境演出装置の並びにおける前記筐体の内面の青色の濃淡は、前記並び方向の一方から他方に向かって次第に濃くなる
請求項１〜７のいずれか１項に記載の光環境演出システム。
【請求項９】
前記底壁部を囲む前記筐体の内周側壁部のうちの１以上の前記光拡散面の色は、前記並び方向に配列された前記第１光環境演出装置及び前記第２光環境演出装置を見た場合に、前記並び方向に向かって次第に濃くなる
請求項５〜７のいずれか１項に記載の光環境演出システム。
【請求項１０】
前記開口部と対向する前記筐体の底壁部における前記光拡散面の色は、前記並び方向に配列された前記第１光環境演出装置及び前記第２光環境演出装置を見た場合に、前記並び方向に向かって次第に濃くなる
請求項５〜７のいずれか１項に記載の光環境演出システム。
【請求項１１】
前記拡散板の曇り度は、５％以上から８０％以下である
請求項１〜１０のいずれか１項に記載の光環境演出システム。
【請求項１２】
前記光拡散面の拡散反射率は、２０％以上である
請求項１〜１１のいずれか１項に記載の光環境演出システム。
【請求項１３】
前記筐体は、直方体状である
請求項１〜１２のいずれか１項に記載の光環境演出システム。
【発明の詳細な説明】
【技術分野】
【０００１】
本発明は、光環境演出システムに関し、特に、窓の無い会議室、地下街、トンネルなどにおいて、擬似的に屋外光を感じさせる光環境演出システムに関する。
【背景技術】
【０００２】
例えば、窓の無い会議室、地下街、トンネルなどでは、屋外光が差し込まない環境であるため、圧迫感及びストレスを感じる場合がある。そこで、このような場所の壁面に擬似的な窓を設け、この窓から擬似的な屋外光を照射させることで、開放感を醸し出し、圧迫感及びストレスを軽減することができる。
【０００３】
従来では、光源と、拡散光を発生する拡散光発生体（拡散板の一例）と、光源及び拡散光発生体を収容した暗箱（筐体の一例）とを備えた照明システム（光環境演出システムの一例）が開示されている（例えば特許文献１参照）。
【先行技術文献】
【特許文献】
【０００４】
【特許文献１】特開２０１５−２０７５５４号公報
【発明の概要】
【発明が解決しようとする課題】
【０００５】
しかしながら、従来の照明システムでは、拡散光発生体の天井上側に設けた光源を、この拡散光発生体から遠く離した状態にしなければ、青空が平面的になるとともに、太陽が光拡散板のすぐ近くに存在するように見えるため、擬似的な屋外光を演出することができなくなる。このため、この照明システムによって擬似的な屋外光を演出するには、光拡散板から光源を遠く離した状態にしなければならず、その結果として照明システムが大型化してしまう。
【０００６】
また、実際の青空の色は、天頂に近いほど青色が濃くなり、地平線に近いほど青色が淡くなる色度分布を持っている。例えば、窓から青空が観察される場合は、目視される青空の領域が観察角度によって異なるため、見える色味が変化する。しかし、このような大型の照明システムを複数設置して青空を再現することは現実的でなく、各々の照明システムの配置位置ごとに色味を変化させる照明は困難である。
【０００７】
そこで、本発明は、大型化を抑制するとともに、場所によって異なる疑似的な屋外光を出射することができる光環境演出システムを提供することを目的とする。
【課題を解決するための手段】
【０００８】
上記目的を達成するために、本発明に係る光環境演出システムの一態様は、造営材に並び方向に配列された、第１光環境演出装置と、第２光環境演出装置とを備えた光環境演出システムであって、隣り合う前記第１光環境演出装置及び前記第２光環境演出装置の各々は、光源と、光が通過する開口部を有する筐体と、透光性を有し、前記開口部に配置された拡散板とを備え、前記第１光環境演出装置及び前記第２光環境演出装置の各々の前記筐体は、前記筐体の内面に青色の非鏡面である光拡散面を有し、前記第１光環境演出装置の前記筐体の前記内面における少なくとも一部の面の色は、前記第２光環境演出装置の前記筐体の前記内面における少なくとも一部の面の色よりも濃い又は淡い青色であり、前記光源が出射した光は、前記内面を介して前記拡散板に入射される。
【発明の効果】
【０００９】
本発明によれば、大型化を抑制するとともに、場所によって異なる疑似的な屋外光を出射することができる。
【図面の簡単な説明】
【００１０】
【図１】図１は、実施の形態に係る光環境演出システムを示すイメージ図である。
【図２】図２は、実施の形態に係る光環境演出装置を示す斜視図である。
【図３】図３は、図２のＩＩＩ−ＩＩＩ線における実施の形態に係る光環境演出装置を示す断面図である。
【図４】図４は、実施の形態に係る光環境演出装置の筐体の光拡散面の拡散反射率と、拡散板の曇り度とを示す図である。
【図５】図５は、実施の形態に係る光環境演出システムを示すブロック図である。
【図６】図６は、実施の形態に係る筐体内の色及び光環境演出システムの点灯状態を示す斜視図である。
【図７】図７は、実施の形態の変形例１に係る筐体内の色及び光環境演出システムの点灯状態を示す斜視図である。
【図８】図８は、実施の形態の変形例２に係る筐体内の色及び光環境演出システムの点灯状態を示す斜視図である。
【図９】図９は、実施の形態の変形例３に係る筐体内の色及び光環境演出システムの点灯状態を示す斜視図である。
【発明を実施するための形態】
【００１１】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１２】
また、「略＊＊」との記載は、「略同一」を例に挙げて説明すると、全く同一はもとより、実質的に同一と認められるものを含む意図である。
【００１３】
なお、各図は、模式図であり、必ずしも厳密に図示されたものではない。また、各図において、実質的に同一の構成に対しては同一の符号を付しており、重複する説明は省略又は簡略化する。
【００１４】
以下、本発明の実施の形態に係る光環境演出システムについて説明する。
【００１５】
（実施の形態）
［構成］
まず、本実施の形態に係る光環境演出システム１００の構成について図１〜図４を用いて説明する。
【００１６】
図１は、実施の形態に係る光環境演出システム１００を示すイメージ図である。図２は、実施の形態に係る光環境演出装置１を示す斜視図である。図３は、図２のＩＩＩ−ＩＩＩ線における実施の形態に係る光環境演出装置１を示す断面図である。図４は、実施の形態に係る光環境演出装置１の筐体３の光拡散面４１の拡散反射率と、拡散板５の曇り度とを示す図である。図５は、実施の形態に係る光環境演出システム１００を示すブロック図である。
【００１７】
図１では、光環境演出装置１の並び方向をＸ軸方向と規定し、光環境演出装置１の厚み方向をＹ軸方向と規定し、Ｘ軸方向及びＹ軸方向と直交する方向をＺ軸方向と規定する。そして、図２以降の各図に示す各方向は、図１に示す各方向に対応させて表示する。
【００１８】
図１に示すように、光環境演出システム１００は、例えば、窓の無い会議室、地下街、トンネル等の自然の採光を得難い施設の天井、壁等の造営材に設けられる。光環境演出システム１００では、複数の光環境演出装置１が造営材に並び方向に配列されている。
光環境演出システム１００は、複数の光環境演出装置１と、図５のシステム制御部１０３とを有する。光環境演出装置１は、疑似的に屋外光を感じさせる演出を行うことができる装置である。光環境演出装置１は、例えば、造営材に埋め込まれるように設けられていてもよい。複数の光環境演出装置１は、第１光環境演出装置及び第２光環境演出装置の一例である。
【００１９】
本実施の形態では、複数の光環境演出装置１がＸ軸方向に向かって並べられている。本実施の形態では、Ｘ軸プラス方向側を北側とし、Ｘ軸マイナス方向側を南側とする。また、Ｘ軸方向が並び方向の一例である。複数の光環境演出装置１の並びは、本実施の形態に限定されず、如何様な配列でもよく、１列に限定されない。
【００２０】
次に、光環境演出装置１について説明する。図２及び図３に示すように、光環境演出装置１は、筐体３と、枠部３２と、拡散板５と、発光モジュール６と、制御部８と、電源部９とを備える。
【００２１】
筐体３は、扁平な箱体であり、直方体状である。なお、筐体３の形状は、平面視で略矩形状に限らず、円形状、多角形状、半円状等の形状でもよく、形状は特に限定されない。また、筐体３の立体形状は、球状体、多面体、円筒状等の形状でもよく、形状は特に限定されない。
【００２２】
筐体３は、少なくとも拡散板５及び発光モジュール６を収容している。筐体３には、光が通過する収容開口部３ｃが形成されている。収容開口部３ｃは、筐体３のＹ軸プラス方向側で開放した収容開口部３ｃが形成されている。筐体３には、制御部８、電源部９が収容されていてもよく、制御部８、電源部９が筐体３の外側に設けられていてもよい。
【００２３】
図２に示すように、筐体３は、筐体３の内面に青色の非鏡面である光拡散面４１を有する。本実施の形態では、筐体３の内面には、光を拡散する光拡散層４０が積層されている。光拡散層４０の内側の面が、光を拡散する光拡散面４１である。光拡散面４１は、筐体３と接触している面と反対側の面である。
【００２４】
光拡散面４１は、青色を含む色で着色された非鏡面である。青色を含む色で着色とは、人が光拡散面４１を見た場合に青色と認識できる色合いである。図４に示すように、光拡散面４１の拡散反射率は、２０％以上である。ここで拡散反射率とは、入射光に対して正反射した光以外の反射光の、入射光に対する割合を百分率換算した値である。
【００２５】
図２に示すように、光拡散層４０は、複数の繊維を積層した積層体、化学繊維又はセルロース繊維を積層した紙状積層体等によって形成される。光拡散面４１は、この積層体により形成される。
【００２６】
なお、光拡散層４０は、入射した光を拡散するように、青色の非鏡面である光拡散面４１を備えた材質であればよく、これらの積層体に限定されない。例えば、光拡散面４１は、樹脂材料、金属材料等が筐体３の内面に塗装されて形成された面でもよく、スウェード調のような表面であってもよい。つまり、光拡散面４１には、入射した光が拡散され易いような艶消しがなされている。言い換えれば、光拡散面４１は、艶消しがなされた非光沢面である。
【００２７】
図２及び図３に示すように、筐体３は、略平板状の底壁部３１ａと、底壁部３１ａを囲む内周側壁部とを有する。内周側壁部は、第１側壁部３１ｂと、第２側壁部３１ｃと、第３側壁部３１ｄと、第４側壁部３１ｅとを有する。
【００２８】
底壁部３１ａは、筐体３のＹ軸マイナス方向側の底壁であり、Ｘ軸方向及びＺ軸方向で規定される平面に対して略平行である。底壁部３１ａのＹ軸プラス方向側の面には、光拡散層４０が積層され、光拡散層４０により青色の非鏡面である光拡散面４１が形成される。
【００２９】
第１側壁部３１ｂは、底壁部３１ａのＺ軸プラス方向側の端縁に配置された側壁であり、Ｘ軸方向及びＹ軸方向で規定される平面に対して略平行である。第１側壁部３１ｂのＺ軸マイナス方向側の面には、光拡散層４０が積層され、光拡散層４０により青色の非鏡面である光拡散面４１が形成される。
【００３０】
第２側壁部３１ｃは、底壁部３１ａのＺ軸マイナス方向側の端縁に、第１側壁部３１ｂと対向配置された側壁であり、第１側壁部３１ｂと略平行である。第２側壁部３１ｃのＺ軸プラス方向側の面には、光拡散層４０が積層され、光拡散層４０により青色の非鏡面である光拡散面４１が形成される。
【００３１】
第３側壁部３１ｄは、底壁部３１ａのＸ軸マイナス方向側の端縁に配置された側壁であり、Ｙ軸方向及びＺ軸方向で規定される平面に対して略平行である。第３側壁部３１ｄのＸ軸プラス方向側の面には、光拡散層４０が積層され、光拡散層４０により青色の非鏡面である光拡散面４１が形成される。
【００３２】
第４側壁部３１ｅは、底壁部３１ａのＸ軸プラス方向側の端縁に第３側壁部３１ｄと対向配置された側壁であり、第３側壁部３１ｄと略平行である。第４側壁部３１ｅのＸ軸マイナス方向側の面には、光拡散層４０が積層され、光拡散層４０により青色の非鏡面である光拡散面４１が形成される。
【００３３】
底壁部３１ａ、第１側壁部３１ｂ、第２側壁部３１ｃ、第３側壁部３１ｄ及び第４側壁部３１ｅに積層される各々の光拡散層４０で形成される各々の光拡散面４１が、筐体３の内面を形成する。筐体３の内面は、収容開口部３ｃと対向する底壁部３１ａの光拡散面４１と、底壁部３１ａの光拡散面４１を囲む内周側面とを有する。第１側壁部３１ｂの光拡散面４１、第２側壁部３１ｃの光拡散面４１、第３側壁部３１ｄの光拡散面４１及び第４側壁部３１ｅの光拡散面４１が内周側面の一例であり、これらの光拡散面４１に限定されない。
【００３４】
枠部３２は、例えば、平面視で略矩形状をなした環状の部材である。枠部３２は、光環境演出装置１を平面視した場合に、光源６０を覆うように設けられる。また、枠部３２は、収容開口部３ｃを覆うように、筐体３におけるＹ軸プラス方向側の端縁に設けられる。言い換えれば、枠部３２は、平面視で筐体３の外周側と重なるように、筐体３のＹ軸プラス方向側に設けられる。
【００３５】
なお、枠部３２は、屋外光が差し込んでいるかのような感覚を得るように、窓枠を模したデザインであってもよい。また、枠部３２の形状は、矩形状に限らず、円形状、多角形状、半円状等の形状でもよく、形状は特に限定されない。
【００３６】
枠部３２は、枠本体部３３と、遮光突出部３４とを有する。
【００３７】
枠本体部３３は、その中央部に略矩形状の開口部３５を有する。開口部３５は、光拡散面４１で拡散した光が通過する。開口部３５には、拡散板５が設けられる。枠本体部３３が、筐体３のＹ軸プラス方向側の端縁に設けられる。
【００３８】
遮光突出部３４は、光源６０が出射する光の一部を遮光するように、筐体３の内部に突出する。本実施の形態では、遮光突出部３４は、開口部３５に沿って、開口部３５から筐体３の内部に突出する立壁である。遮光突出部３４は、発光モジュール６の光源６０から出射する光が直接、拡散板５に入射しないように設けられている。遮光突出部３４は、発光モジュール６の光源６０と拡散板５とを結ぶ直線と交差する位置に配置される。つまり、遮光突出部３４は、発光モジュール６の光源６０から拡散板５に向かう光を遮っている。
【００３９】
枠部３２の内周面３２ａは、光の反射を抑制する黒色又は青色である。例えば、内周面３２ａは、黒色又は青色に塗られ、光の反射を抑制するように艶消しがなされていてもよい。なお、枠部３２が光の反射を抑制する黒色又は青色の材質であってもよい。内周面３２ａを黒色にした場合では、内周面３２ａが光を吸収し易くなる。また、内周面３２ａを青色とした場合では、筐体３の光拡散面４１と同様の色となる。つまり、内周面３２ａで反射した光によって、拡散板５に生じる輝度斑及び色斑を抑制することができる。
【００４０】
拡散板５は、平面視で長方形状の板状の部材であり、光拡散面４１で拡散した光を透過させるように枠部３２に固定されている。拡散板５は、筐体３の底壁部３１ａと対向するように、収容開口部３ｃに配置されている。本実施の形態では、拡散板５は、筐体３の底壁部３１ａと対向し、かつ、Ｘ軸方向及びＺ軸方向で規定される平面と略平行となるように、枠部３２の開口部３５に固定されている。なお、拡散板５は、収容開口部３ｃを覆うように配置されていてもよい。
【００４１】
拡散板５は、透光性、及び、光を拡散させる光拡散性を有している。拡散板５は、入射面５ａと、出射面５ｂとを有する。入射面５ａは、例えば、光拡散面４１で拡散した光が入射する面である。出射面５ｂは、例えば、入射面５ａから入射した光が拡散板５を透過して出射する面である。
【００４２】
図４に示すように、拡散板５は、筐体３内部の光拡散面４１のテクスチャを視認することができない程度に、曇っていることが好ましい。拡散板５の曇り度は、５％以上８０％以下であることが好ましい。曇り度とはヘーズ値とも言う。ここで、曇り度とは、（拡散透過率／全透過率）×１００で定義される量を示す。拡散透過率とは、拡散板５に平行光を入射したときの全入射光量に対する、拡散板５から出射される光のうち、所定の射出角以上（例えば、平行光に対して±５°）の射出角を有する射出光の光量の比を示す。拡散板５の曇り度が所定値を超えると、光の拡散透過率が高くなるため、光環境演出装置１における自然に近い採光環境を演出することができ難くなる。
【００４３】
図２及び図３に示すように、拡散板５は、アクリル、ＰＥＴ（Ｐｏｌｙ  Ｅｔｈｙｌｅｎｅ  Ｔｅｒｅｐｈｔｈａｌａｔｅ）等の樹脂材料、又はガラスを基材としている。拡散板５は、光拡散材が内部に分散された乳白色の拡散パネルであってもよい。このような拡散パネルは、光拡散材を混合した透光性樹脂材料を所定形状に樹脂成型することによって作製してもよい。光拡散材としては、シリカ粒子等の光反射性微粒子を用いてもよい。
【００４４】
また、拡散板５としては、内部に光拡散材を分散させるのではなく、透明パネルの表面（内面又は外面）に光拡散材等を含む乳白色の光拡散膜を形成することによって構成されていてもよい。
【００４５】
さらに、拡散板５は、光拡散材を用いるのではなく、拡散加工を施すことによって光拡散性を有するように構成されていてもよい。例えば、シボ加工等の表面処理を施すことによって透明パネルの表面に微小凹凸を形成したり、透明パネルの表面にドットパターンを印刷したりすることによって、光拡散性を有する拡散板５を構成してもよい。この場合、拡散板５では、微小凹凸のテクスチャを視認することができない大きさであることが好ましい。なお、拡散加工する場合であっても、光拡散性を高めるために、さらに光拡散材を拡散板５に含有させてもよい。
【００４６】
発光モジュール６は、複数の互いに異なる発光色を有する。発光モジュール６は、光源６０と、光源６０が配置される配線基板６３とを有するモジュールである。本実施の形態では、一対の発光モジュール６が枠部３２の遮光突出部３４に沿うように、枠本体部３３のＹ軸マイナス方向側の面に配置されている。なお、発光モジュール６は、単色の発光色であってもよい。また、発光モジュール６は２つに限定されず、１でもよく、３つ以上でもよい。この場合、複数の発光モジュール６間では、発光色が互いに異なっていてもよく、同一の発光色であってもよい。
【００４７】
発光モジュール６は、光拡散面４１に向けて光を出射する姿勢で筐体３に配置される。具体的には、発光モジュール６は、光源６０の光軸Ｊが枠部３２における底壁部３１ａの光拡散面４１と交差する姿勢で、筐体３に配置されている。本実施の形態では、光源６０の各々の光軸Ｊがこの底壁部３１ａにおける光拡散面４１の略中央と交差している。言い換えれば、光源６０の各々の光軸Ｊが光拡散面４１の中央部分に向いている。ここでいう中央部分とは、光拡散面４１の図心を含む領域である。なお、本実施の形態では、光源６０の光軸Ｊが底壁部３１ａの光拡散面４１と交差しているが、光源６０の光軸Ｊが枠部３２の第１側壁部３１ｂ、第２側壁部３１ｃ、第３側壁部３１ｄ及び第４側壁部３１ｅにおける各々の光拡散面４１と交差していてもよく、中央部分に限定されない。
【００４８】
光源６０は、白色光を出射する白色光源、及び青色光を出射する青色光源の少なくとも一方を有する。本実施の形態では、光源６０は、複数の白色光源と、複数の青色光源とを有する。白色光源及び青色光源は、配線基板６３の長手方向と略平行に配列されている。なお、白色光源及び青色光源は、配線基板６３に交互に配列されていてもよく、複数個ずつ配線基板６３に配列されていてもよい。
【００４９】
白色光源は、白色光を出射する。白色光とは、厳密な意味で白色を意味しているのではなく、通常、白色と見える光を意味している。青色光源は、青色光を出射する。青色光とは、厳密な意味で青色を意味しているのではなく、通常、青色と見える光を意味している。
【００５０】
図２及び図３に示すように、複数の白色光源及び複数の青色光源は、いわゆるＳＭＤ（Ｓｕｒｆａｃｅ  Ｍｏｕｎｔ  Ｄｅｖｉｃｅ）型のＬＥＤ（Ｌｉｇｈｔ  Ｅｍｉｔｔｉｎｇ  Ｄｉｏｄｅ）素子であってもよい。ＳＭＤ型のＬＥＤ素子とは、具体的には、樹脂成型されたキャビティの中にＬＥＤチップ（発光素子）が実装され、キャビティ内に蛍光体含有樹脂が封入されたパッケージ型のＬＥＤ素子である。複数の白色光源及び複数の青色光源は、制御部８により制御されて点灯、調光、調色及び消灯を行う。また、複数の白色光源及び複数の青色光源は、制御部８が電源部９を制御して、調光制御及び調色制御が行われる。
【００５１】
制御部８は、使用者によるリモコン等を介して図５のシステム制御部１０３が受信した制御信号に従って、発光モジュール６の点灯、消灯、調光、調色等の動作を制御する。制御部８は、例えば、電源部９を制御して白色光源の明るさを大きくするととともに、電源部９を制御して青色光源の明るさを小さくするといった、白色光源及び青色光源の調光制御を行う。制御部８は、発光モジュール６等を制御するための回路等から構成されている。制御部８は、入力された信号に応じて発光モジュール６に供給する電流値等を制御するマイクロコンピュータ、プロセッサなど、または専用回路によってこれらの動作を実現する。
【００５２】
電源部９は、各々の発光モジュール６を発光させるための電力を生成する電源回路によって構成されている。電源部９は、例えば、電力系統から供給される電力を、整流、平滑及び降圧等して所定レベルの直流電力に変換し、当該直流電力を発光モジュール６に供給する。なお、光環境演出装置１は、光源６０に電力を供給する電源部と、青色光源に電力を供給する電源部とを有していてもよい。
【００５３】
電源部９は、制御部８により制御されることで、各発光モジュール６への電力供給をオン及びオフする。例えば、リモコン等の操作部を介して点灯の操作を受けた場合には、制御部８は、電源部９から電力を発光モジュール６に供給し、発光モジュール６の光源６０を点灯させる。また、操作部が消灯の操作を受けた場合には、制御部８は、電源部９からの発光モジュール６への電力の供給を遮断することで、発光モジュール６の光源６０を消灯する。
【００５４】
このような光環境演出装置１では、例えば、光源６０から出射した光は、筐体３における底壁部３１ａの光拡散面４１に入射して拡散される。光拡散面４１は青色の非鏡面であるため、光拡散面４１で拡散した光は、青色光を有する。底壁部３１ａの光拡散面４１で拡散されたこの光の一部は、拡散板５の入射面５ａに入射する。つまり、光源６０が出射した光は、底壁部３１ａの光拡散面４１を介して拡散板５に入射される。拡散板５の入射面５ａに入射した光は、一部が拡散板５でさらに拡散されて拡散板５の出射面５ｂから出射し、一部が拡散板５の入射面５ａで反射して底壁部３１ａに向かう。そして、底壁部３１ａに向かった光は、再度、光拡散面４１で拡散される。
【００５５】
このように、拡散板５の出射面５ｂからは、青色の光拡散面４１で拡散され、さらに、拡散板５で拡散された光が出射されるため、拡散板５と光源６０とを遠く離す必要がない。つまり、底壁部３１ａの光拡散面４１で拡散された光が、さらに拡散板５で拡散されて拡散板５の入射面５ａで反射した光が、さらに光拡散面４１で拡散されて拡散板５の入射面５ａに入射することを繰り返す。このため、光環境演出装置１は、光源６０を拡散板５から離間させなくても、奥行き感のある空を模した光を出射することができる。このため、光環境演出装置１の大型化が抑制されるとともに、光環境演出装置１から疑似的な屋外光が出射される。
【００５６】
また、使用者は、拡散板５の出射面５ｂから出射する光と、拡散板５の奥にある光拡散面４１との２つの異なる発光面を重ねて視ることとなる。この場合、奥行き方向における出射面５ｂの位置及び光拡散面４１の位置のそれぞれを把握することは、視覚的に困難となる。そのため、この光環境演出装置１では、光環境演出装置１を観察する使用者において、眼の焦点が光拡散面４１よりも遠方で結ばれるため、光拡散面４１よりも遠方に奥行きを感じさせることができる。すなわち、この光環境演出装置１では、出射面５ｂと光拡散面４１とから青色光を含んだ光で現すことで、光拡散面４１よりも遠方に無限の奥行きを感じさせることが可能となる。
【００５７】
なお、筐体３の内面における青色の濃淡が各々の光環境演出装置１ごとに異なっている点を除き、同一の構成であるため、他の光環境演出装置の説明を省略する。
【００５８】
システム制御部１０３は、使用者によるリモコン等を介した制御信号に従って、複数の光環境演出装置１の点灯、消灯、調光、調色等の動作を制御する装置である。システム制御部１０３は、各々の光環境演出装置１の点灯、消灯、調光、調色等を行うタイミングを同期させたり、複数の光環境演出装置１のうちの一部について点灯、消灯、調光、調色等の動作をさせたりすることができる。システム制御部１０３は、各々の光環境演出装置１を制御するための回路等から構成されている。システム制御部１０３は、マイクロコンピュータ、プロセッサなど、または専用回路によってこれらの動作を実現する。
【００５９】
次に、光環境演出システム１００における複数の光環境演出装置１の配置等について説明する。図６は、実施の形態に係る筐体３内の色及び光環境演出装置１００の点灯状態を示す斜視図である。図６は、図１の光環境演出システム１００における一部の光環境演出装置１を図示している。図６の（ａ）は、各々の筐体３を示す斜視図である。図６の（ａ）では、枠部３２、発光モジュール６等を除外し、各々の筐体３を造営材に設置した状態を示している。図６の（ｂ）は、光環境演出装置１００の点灯状態を示す斜視図である。図６では、複数の筐体３の一例として、筐体３ａ、筐体３ｂ、筐体３ｃ及び筐体３ｄを用いている。
【００６０】
図６の（ａ）に示すように、筐体３ａ、筐体３ｂ、筐体３ｃ及び筐体３ｄは、この並びでＸ軸プラス方向に並べられている。各々の筐体３ａ〜３ｄの内面の青色は略均一であり、筐体３ａ〜３ｄにおける各々の内面の青色の濃淡がそれぞれ異なっている。
【００６１】
隣り合う２つの光環境演出装置１において、光環境演出装置１の筐体３の内面における少なくとも一部の面の色は、隣接する他の光環境演出装置１の筐体３の内面における少なくとも一部の面の色よりも濃い又は淡い青色である。隣り合う２つの光環境演出装置１の並びにおける筐体３の内面の青色の濃淡は、並び方向の一方から他方に向かって次第に濃くなる。隣り合う２つの光環境演出装置１は、第１光環境演出装置及び第２光環境演出装置の一例である。
【００６２】
本実施の形態では、筐体３ａ〜３ｄは、並び方向に向かって次第に青色の濃淡が濃くなるように配置されている。このような筐体３ａ〜３ｄの配置位置によって、筐体３ａ〜３ｄを全体として見た場合に、内面の青色の濃淡が段階的に濃くなるように見える。例えば、隣り合う筐体３ａ及び筐体３ｂにおいて、Ｘ軸プラス方向側の筐体３ｂの方がＸ軸マイナス方向側の筐体３ａよりも、青色の濃淡が濃い。
【００６３】
隣り合う２つの光環境演出装置１において、光環境演出装置１の内周側壁部における、少なくとも一部の光拡散面４１での光の反射率は、隣接する他の光環境演出装置の内周側壁部における、少なくとも一部の光拡散面４１での光の反射率よりも小さい。本実施の形態では、筐体３の内面の光の反射率は、略均一である。例えば、筐体３ｂの内面の光の反射率は、筐体３ａの内面の光の反射率よりも小さい。
【００６４】
このような光環境演出装置１を複数用いて光環境演出システム１００を構成した場合において、例えば図１のように壁に取付けると、南側の光環境演出装置１から北側の光環境演出装置１に向かうにつれて、光環境演出装置１から出射する光の色が次第に濃くなる。これは、実際の空は、太陽の影響によって、南側の方が北側に比べて淡い青色に見えるからである。光環境演出システム１００は、この現象を再現している。
【００６５】
このように、この光環境演出システム１００では、個々の光環境演出装置１が同じ明るさ及び同じ色で発光しているように見えるのではなく、光環境演出装置１の設置場所の差異に応じて、異なる明るさ及び異なる色で発光しているように見える。このため、複数の窓越しに観察される青空の様子を再現し、実際の青空として認識させることができる。また、個々の光環境演出装置１と仮想の太陽との位置関係に応じて、異なる明るさ及び異なる色で発光しているように見えるため、太陽そのものが実際に観察されなくとも、太陽の場所を間接的に想像させる。
【００６６】
［作用効果］
次に、本実施の形態における光環境演出システム１００の作用効果について説明する。
【００６７】
上述したように、本実施の形態に係る光環境演出システム１００は、造営材に並び方向に配列された、第１光環境演出装置と、第２光環境演出装置とを備える。また、隣り合う第１光環境演出装置及び第２光環境演出装置の各々は、光源６０と、光が通過する収容開口部３ｃを有する筐体３と、透光性を有し、収容開口部３ｃに配置された拡散板５とを備える。さらに、第１光環境演出装置及び第２光環境演出装置の各々の筐体３は、筐体３の内面に青色の非鏡面である光拡散面４１を有する。また、第１光環境演出装置の筐体３の内面における少なくとも一部の面の色は、第２光環境演出装置の筐体３の内面における少なくとも一部の面の色よりも濃い又は淡い青色である。そして、光源６０が出射した光は、内面を介して拡散板５に入射される。
【００６８】
このように、光源６０から出射された光が光拡散面４１に入射して光拡散面４１で拡散され、この拡散された光が拡散板５の入射面５ａに入射するため、光源６０を拡散板５の近くに配置することができる。
【００６９】
また、筐体３の内面が青色の非鏡面である光拡散面４１である。このため、光拡散面４１で拡散された光は、濃淡が生じた状態でさらに拡散板５で拡散されて、拡散板５から出射される。このため、拡散板５からは、筐体３の内面における青色の濃淡に応じた光が拡散板５から出射される。また、筐体３の内面における少なくとも一部の面は、並び方向に向かうにつれて次第に変化している。例えば本実施の形態では、並び方向に配列された各々の筐体３の内面は、窓越しに観察される青空を再現するように、Ｘ軸プラス方向側からＸ軸マイナス方向側に向かって筐体３ごとに内面の青色の濃淡が次第に淡くなる。このため、光環境演出装置１の設置場所の差異に応じて、異なる明るさ及び異なる色の光が出射される。その結果、複数の窓越しに観察される青空の様子を再現することができるため、使用者は、実際の青空のように認識させることで、窓から屋外光が差し込んでいるかのように感じる。
【００７０】
したがって、大型化を抑制するとともに、場所によって異なる疑似的な屋外光を出射することができる。
【００７１】
特に、この光環境演出装置１では、拡散板５を設けることで、発光モジュール６を点灯させていない場合でも、光環境演出装置１の内部構造であるテクスチャを視認し難い。このため、自然に近い採光環境を損ね難い。
【００７２】
また、この光環境演出装置１では、使用者は、拡散板５の出射面５ｂから出射する光と、拡散板５の奥にある光拡散面４１との２つの異なる発光面を重ねて視ることとなる。このため、この光環境演出装置１では、光環境演出装置１を観察する使用者において、眼の焦点が光拡散面４１よりも遠方で結ばれるため、光拡散面４１よりも遠方に奥行きを感じさせることができる。すなわち、この光環境演出装置１では、出射面５ｂと光拡散面４１とから青色光を含んだ光で現すことで、光拡散面４１よりも遠方に無限の奥行きを感じさせることが可能となる。このため、光環境演出装置１では、自然に近い採光環境を提供することができる。
【００７３】
また、本実施の形態に係る光環境演出システム１００において、筐体３の内面は、複数の繊維を積層した積層体によって形成される。また、本実施の形態に係る光環境演出システム１００において、筐体３の内面は、化学繊維又はセルロース繊維を積層した紙状積層体によって形成される。
【００７４】
これらの構成によれば、汎用されている部材で光拡散面４１を有する光拡散層４０を容易に実現することができる。
【００７５】
また、本実施の形態に係る光環境演出システム１００は、さらに、平面視した場合に、光源６０を覆うように設けられる枠部３２を備える。そして、枠部３２は、光源６０が出射する光の一部を遮光するように、筐体３の内部に突出する遮光突出部３４を有する。
【００７６】
このように、遮光突出部３４が開口部３５に沿って筐体３の内部に突出しているため、光源６０から拡散板５に向かって出射される光を遮光することができる。このため、光環境演出装置１では、拡散板５から出射する光に、光源６０による不自然な輝度ムラ及び色ムラが生じ難くなる。
【００７７】
また、本実施の形態に係る光環境演出システム１００は、光源６０の光軸Jは、筐体３の底壁部３１ａと交差している。
【００７８】
この構成によれば、筐体３における底壁部３１ａの光拡散面４１に光を照射するため、筐体３の内面の濃淡に対応した光が拡散板５の出射面５ｂから出射することができる。
【００７９】
また、本実施の形態に係る光環境演出システム１００において、筐体３は、底壁部３１ａと、底壁部３１ａを囲む内周側壁部とを有する。そして、第１光環境演出装置の内周側壁部における、少なくとも一部の光拡散面４１での光の反射率は、第２光環境演出装置の内周側壁部における、少なくとも一部の光拡散面４１での光の反射率よりも小さい。
【００８０】
この構成によれば、例えば、隣り合う２つの光環境演出装置１の筐体３内の光の反射率は、一方側の方が小さいため、各々の光環境演出装置１から出射する光の明るさに差を付けることができる。このため、自然に近い採光環境をより演出することができる。
【００８１】
また、本実施の形態に係る光環境演出システム１００において、第１光環境演出装置及び第２光環境演出装置の並びにおける筐体３の内面の青色の濃淡は、並び方向の一方から他方に向かって次第に濃くなる。
【００８２】
この構成によれば、光環境演出装置１の設置場所の差異に応じて、グラデーション状の青色の濃淡が筐体３の内面に形成される。このため、光環境演出装置１の設置場所の差異に応じて、異なる明るさ及び異なる色の光が出射される。このため、複数の窓越しに観察される青空の様子を再現し、実際の青空としてより認識し易くさせることができる。
【００８３】
また、本実施の形態に係る光環境演出システム１００において、拡散板５の曇り度は、５％以上から８０％以下である。
【００８４】
このように、曇り度が５％以上から８０％以下の拡散板５を設けることで、発光モジュール６を点灯させていない場合でも、光環境演出装置１の内部構造であるテクスチャを視認し難い。このため、自然に近い採光環境を損ね難い。
【００８５】
また、本実施の形態に係る光環境演出システム１００において、光拡散面４１の拡散反射率は、２０％以上である。
【００８６】
この構成によれば、光拡散面４１では反射する光のうち２０％以上もの光が拡散反射するため、自然に近い採光環境をより演出することができる。
【００８７】
また、本実施の形態に係る光環境演出システム１００において、筐体３は、直方体状である。
【００８８】
この構成によれば、筐体３は汎用性のある形状であるため、筐体３を容易に製造することができる。
【００８９】
（実施の形態の変形例１）
本変形例に係る光環境演出システム２００の構成について、図７を用いて説明する。
【００９０】
図７は、実施の形態の変形例１に係る筐体内の色及び光環境演出システム２００の点灯状態を示す斜視図である。図７の（ａ）は、筐体２３０ａ、２３０ｂ、２３０ｃ、２３０ｄを示す斜視図である。図７の（ａ）では、枠部３２、発光モジュール６等を除き、造営材に設置した状態を示している。図７の（ｂ）は、光環境演出装置２０１ａ、２０１ｂ、２０１ｃ、２０１ｄの点灯状態を示す斜視図である。
【００９１】
本変形例では、筐体２３０ａ、２３０ｂ、２３０ｃ、２３０ｄ内におけるそれぞれの内周側面の一部の色が異なっている点で、実施の形態と異なっている。また、本変形例の光環境演出システム２００は、特に明記しない場合は、実施の形態と同様であり、同一の構成については同一の符号を付して構成に関する詳細な説明を省略する。
【００９２】
図７の（ａ）に示すように、筐体２３０ａ、２３０ｂ、２３０ｃ、２３０ｄの内周側壁部のうちの１以上の光拡散面４１の色は、並び方向に配列された光環境演出装置２０１ａ、２０１ｂ、２０１ｃ、２０１ｄを見た場合に、並び方向に向かって次第に濃くなる。つまり、並び方向に配列された光環境演出装置２０１ａ、２０１ｂ、２０１ｃ、２０１ｄを見た場合に、配列された複数の筐体２３０ａ、２３０ｂ、２３０ｃ、２３０ｄの内面における青色の濃淡が、グラデーション模様のように次第に濃くなる。具体的には、本変形例において、各々の環境演出装置２０１の第４側壁部３１ｅにおける光拡散面２４１の色は、Ｘ軸マイナス方向からＸ軸プラス方向側に向かうに従い次第に青色の濃淡が濃くなっている。つまり、各々の第４側壁部３１ｅの光拡散面２４１ａ、光拡散面２４１ｂ、光拡散面２４１ｃ、光拡散面２４１ｄは、この並びでＸ軸マイナス方向側からＸ軸プラス方向側に向かうに従い次第に濃淡が濃くなっている。
【００９３】
このため、図７の（ｂ）に示すように、光環境演出装置２０１ａ、２０１ｂ、２０１ｃ、２０１ｄの設置場所の差異に応じて、異なる明るさ及び異なる色で発光しているように見える。このため、複数の窓越しに観察される青空の様子を再現し、実際の青空として認識し易くなる。Ｘ軸プラス方向側に向かうに従い、光環境演出装置２０１ａ、２０１ｂ、２０１ｃ、２０１ｄが出射する光の色の濃淡が次第に濃くなる。
【００９４】
このような光環境演出システム２００において、光環境演出システム２００のＸ軸マイナス方向側から光環境演出装置２０１ａ、２０１ｂ、２０１ｃ、２０１ｄを見た場合に、使用者側の光環境演出装置では淡い青色の光が見え、使用者から遠ざかるに従い次第に濃い青色の光が見える。これは、使用者が実際の空を見た場合でも同様であり、実際の空は、太陽の影響により、南側に近いほど淡い青色に見え、北側に近いほど濃い青色に見える。光環境演出装置２０１ａ、２０１ｂ、２０１ｃ、２０１ｄは、この現象を再現している。
【００９５】
このように、光環境演出装置２０１ａ、２０１ｂ、２０１ｃ、２０１ｄから出射する光がグラデーション模様のように変化するように見えるため、光環境演出システム２００は、より自然に近い採光環境を演出することができる。
【００９６】
本変形例における光環境演出システム２００の作用効果について説明する。
【００９７】
上述したように、本変形例に係る光環境演出システム２００において、底壁部３１ａを囲む筐体２３０ａ、２３０ｂ、２３０ｃ、２３０ｄの内周側壁部のうちの１以上の光拡散面４１の色は、並び方向に配列された光環境演出装置２０１ａ、２０１ｂ、２０１ｃ、２０１ｄ（第１光環境演出装置及び第２光環境演出装置）を見た場合に、並び方向に向かって次第に濃くなる。
【００９８】
この構成によれば、第４側壁部３１ｅの光拡散面２４１ａ〜２４１ｄにおける青色の濃淡が南側から北側に向かうこの並びの順で次第に濃くなるため、南側の方が北側に比べて淡い青色に見える実際の空を再現することができる。このため、複数の窓越しに観察される青空の様子を再現し、実際の青空としてより認識し易くさせることができる。
【００９９】
また、筐体２３０ａ、２３０ｂ、２３０ｃ、２３０ｄの一部の面の色の濃淡を、光環境演出装置２０１ａ、２０１ｂ、２０１ｃ、２０１ｄの配置位置ごとに変化させるだけで、複数の窓越しに観察される青空の様子を簡易に再現することができる。
【０１００】
本変形例における他の作用効果についても、実施の形態と同様の作用効果を奏する。
【０１０１】
（実施の形態の変形例２）
本変形例に係る光環境演出システム３００の構成について、図８を用いて説明する。
【０１０２】
図８は、実施の形態の変形例２に係る筐体内の色及び光環境演出システム３００の点灯状態を示す斜視図である。図８の（ａ）は、筐体３３０ａ、３３０ｂ、３３０ｃ、３３０ｄを示す斜視図である。図８の（ａ）では、枠部３２、発光モジュール６等を除き、造営材に設置した状態を示している。図８の（ｂ）は、光環境演出装置３０１ａ、３０１ｂ、３０１ｃ、３０１ｄの点灯状態を示す斜視図である。
【０１０３】
本変形例では、筐体３３０ａ、３３０ｂ、３３０ｃ、３３０ｄ内におけるそれぞれの内周側面の一部の色が異なっている点で、実施の形態と異なっている。また、本変形例の光環境演出システム３００は、特に明記しない場合は、実施の形態と同様であり、同一の構成については同一の符号を付して構成に関する詳細な説明を省略する。
【０１０４】
図８の（ａ）に示すように、筐体３３０ａ、３３０ｂ、３３０ｃ、３３０ｄの各々の底壁部３１ａにおける光拡散面３４１の色は、並び方向に配列された光環境演出装置３０１ａ、３０１ｂ、３０１ｃ、３０１ｄを見た場合に、Ｘ軸マイナス方向からＸ軸プラス方向に向かって次第に濃くなる。本変形例では、各々の底壁部３１ａの光拡散面３４１ａ、光拡散面３４１ｂ、光拡散面３４１ｃ及び光拡散面３４１ｄは、この並びでＸ軸マイナス方向側からＸ軸プラス方向側に向かうに従い次第に濃淡が濃くなっている。つまり、筐体３３０ａ、３３０ｂ、３３０ｃ、３３０ｄにおける底壁部３１ａの光拡散面３４１ａの並びによって、筐体３３０ａ、３３０ｂ、３３０ｃ、３３０ｄは、Ｘ軸マイナス方向側からＸ軸プラス方向側に向かって次第に青色の濃淡が濃くなるグラデーション模様に見える。
【０１０５】
このため、光環境演出装置３０１ａ、３０１ｂ、３０１ｃ、３０１ｄの設置場所の差異に応じて、異なる明るさ及び異なる色で発光しているように見える。このため、複数の窓越しに観察される青空の様子を再現し、実際の青空としてより認識し易くすることができる。例えば、Ｘ軸プラス方向側に向かうに従い、光環境演出装置３０１ａ、３０１ｂ、３０１ｃ、３０１ｄが出射する光の色の濃淡が次第に濃くなる。
【０１０６】
第１光環境演出装置の底壁部３１ａにおける光拡散面４１の光の反射率は、第２光環境演出装置の底壁部３１ａにおける光拡散面４１の光の反射率よりも小さい。本変形例では、各々の底壁部３１ａの光拡散面３４１ａ、光拡散面３４１ｂ、光拡散面３４１ｃ、光拡散面３４１ｄの各々の光の反射率は、この並びでＸ軸マイナス方向からＸ軸プラス方向に向かうに従い次第に小さくなっている。このため、図８の（ｂ）に示すように、Ｘ軸マイナス方向からＸ軸プラス方向側に向かうに従い、光環境演出装置３０１ａ、３０１ｂ、３０１ｃ、３０１ｄが出射する光の明るさが次第に暗くなる。
【０１０７】
このような光環境演出システム３００において、光環境演出システム３００のＸ軸マイナス方向側に近い側から点灯している光環境演出装置３０１ａ、３０１ｂ、３０１ｃ、３０１ｄを見た場合に、使用者側の光環境演出装置から淡い青色の光が見え、使用者から遠ざかるに従い次第に濃い青色の光が見える。これは、使用者が実際の空を見た場合でも同様であり、実際の空は、太陽の影響により、南側に近いほど淡い青色に見え、北側に近いほど濃い青色に見える。光環境演出装置３０１ａ、３０１ｂ、３０１ｃ、３０１ｄは、この現象を再現している。
【０１０８】
このように、光環境演出装置３０１ａ、３０１ｂ、３０１ｃ、３０１ｄから出射する光がグラデーション模様のように変化するように見えるため、光環境演出システム３００は、より自然に近い採光環境を演出することができる。
【０１０９】
このように、拡散板５から出射する光がグラデーション模様のように変化しているため、光環境演出システム３００は、より自然に近い採光環境を演出することができる。
【０１１０】
次に、本変形例における光環境演出システム３００の作用効果について説明する。
【０１１１】
上述したように、本変形例に係る光環境演出システム３００において、第１光環境演出装置の底壁部３１ａにおける光拡散面４１の光の反射率は、第２光環境演出装置の底壁部３１ａにおける光拡散面４１の光の反射率よりも小さい。
【０１１２】
この構成によれば、例えば、隣り合う第１光環境演出装置及び第２光環境演出装置における各々の筐体３３０ａ、３３０ｂ、３３０ｃ、３３０ｄ内の光の反射率は、一方側の方が小さい。このため、本変形例のように、光環境演出装置３０１ａ、３０１ｂ、３０１ｃ、３０１ｄから出射する光の明るさに差を付けることができる。このため、自然に近い採光環境をより演出することができる。
【０１１３】
また、本変形例に係る光環境演出システム３００において、収容開口部３ｃと対向する筐体３３０ａ、３３０ｂ、３３０ｃ、３３０ｄの底壁部３１ａにおける光拡散面４１の色は、並び方向に配列された第１光環境演出装置及び第２光環境演出装置を見た場合に、並び方向に向かって次第に濃くなる。
【０１１４】
このように、第２側壁部２３１ｂの光拡散面２４１の色が底壁部２３１ａの光拡散面４１の色よりも濃く、第１側壁部２３１ｂの光拡散面２４１の色が底壁部２３１ａの光拡散面４１の色よりも淡い。このため、使用者が実際の空を見た場合でも同様であり、拡散板５からは、南側の方が北側に比べて淡い青色の光が出射し、かつ、地平線側であるＺ軸マイナス方向側の方がＺ軸プラス方向側に比べて濃い青色の光が出射する。このため、光環境演出システム３００では、自然に近い採光環境を演出することができる。
【０１１５】
本変形例における他の作用効果についても、実施の形態と同様の作用効果を奏する。
【０１１６】
（実施の形態の変形例３）
本変形例に係る光環境演出システム４００の構成について、図９を用いて説明する。
【０１１７】
図９は、実施の形態の変形例３に係る筐体４３０ａ、４３０ｂ内の色及び光環境演出システム４００の点灯状態を示す斜視図である。図９の（ａ）は、筐体４３０ａ、４３０ｂを示す斜視図である。図９の（ａ）では、枠部３２、発光モジュール６等を除き、造営材に設置した状態を示している。図９の（ｂ）は、光環境演出装置４０１ａ、４０１ｂの点灯状態を示す斜視図である。
【０１１８】
本変形例では、光環境演出システム４００における光環境演出装置４０１ａ、４０１ｂがＺ軸方向に並んでいる点で実施の形態と異なっている。また、本変形例の光環境演出システム４００は、特に明記しない場合は、実施の形態と同様であり、同一の構成については同一の符号を付して構成に関する詳細な説明を省略する。
【０１１９】
光環境演出システム４００を構成する光環境演出装置４０１ａ、４０１ｂは、Ｚ軸方向に並んでいる。なお、本変形例では、Ｚ軸プラス方向側が上側であり、Ｚ軸マイナス方向側が下側とする。なお、壁には、２台の光環境演出装置４０１ａ、４０１ｂが配置されているが、３台以上であってもよい。
【０１２０】
図９の（ａ）に示すように、筐体４３０ａ、４３０ｂは、この並びでＺ軸方向に並べられている。筐体４３０ａ、４３０ｂの内面の光拡散面４１は、並び方向に向かって次第に青色の濃淡が淡くなっている。具体的には、各々の筐体４３０ａ、４３０ｂの内面の青色を略均一とし、筐体４３０ａ、４３０ｂの配置位置によって、筐体４３０ａ、４３０ｂごとに内面の青色の濃淡が淡くなっている。つまり、隣り合う筐体４３０ａ、４３０ｂにおいて、上側の筐体４３０ａの方が下側の筐体４３０ｂよりも、青色の濃淡が濃い。
【０１２１】
この光環境演出装置４０１ａ、４０１ｂを用いて光環境演出システム４００を構成した場合において、例えば上下に渡って壁に光環境演出装置４０１ａ、４０１ｂを取付けると、下側の光環境演出装置４０１ｂから上側の光環境演出装置４０１ａに向かうにつれて、光環境演出装置から出射する光の色が次第に濃くなる。これは、使用者が実際の空を見た場合でも同様であり、実際の空は、地平線に近いほど淡い青色に見え、地平線から遠ざかる天頂側に向かうに従い濃い青色に見える。光環境演出システム４００は、この現象を再現している。
【０１２２】
このように、筐体４３０ａ、４３０ｂの内面における青色の濃淡が南側から北側に向かって次第に濃くなるため、この光環境演出システム４００では、地平線に近いほど淡い青色に見え、地平線から遠ざかる天頂側に向かうに従い濃い青色に見える。この光環境演出システム４００では、光環境演出装置４０１ａ、４０１ｂの設置場所の差異に応じて、異なる明るさ及び異なる色で発光しているように見える。このため、複数の窓越しに観察される青空の様子を再現し、実際の青空としてより認識し易くすることができる。
【０１２３】
本変形例における他の作用効果についても、実施の形態と同様の作用効果を奏する。
【０１２４】
（その他変形例等）
以上、本発明について、実施の形態及び実施の形態の変形例１〜３に基づいて説明したが、本発明は、上記実施の形態及び実施の形態の変形例１〜３に限定されない。
【０１２５】
例えば、上記実施の形態及び実施の形態の変形例１〜３において、拡散板の一例として、入射した光がレイリー散乱を起こすレイリー拡散板を用いてもよい。レイリー拡散板は、透光性のあるアクリル等の樹脂を基材とし、内部にナノコンポジット材料を分散させた部材である。ナノコンポジット材料は、例えば、酸化チタン、酸化亜鉛、酸化ジルコニア等の酸化金属である。ナノコンポジット材料の粒子径が光の波長に比べ充分に小さい場合、拡散板に入射した光は、レイリー散乱を起こす。
【０１２６】
また、上記実施の形態及び実施の形態の変形例１〜３において、並び方向に配列された光環境演出装置において、複数の筐体の内面の色は、一方側から他方側に向かって連続的なグラデーション模様を形成してもよい。つまり、上記実施の形態及び実施の形態の変形例１〜３のように、単一の濃淡で個々の筐体ごとに色の濃淡を異ならせるのではなく、全体の筐体を見た場合に、一方側から他方側に向かって次第に青色の濃淡が連続的に変化するグラデーション模様であってもよい。
【０１２７】
また、上記実施の形態及び実施の形態の変形例１〜３において、光環境演出装置の筐体は、側面視で角部が丸められていてもよい。この場合、底壁部、第１側壁部、第２側壁部、第３側壁部及び第４側壁部の各々の境界が拡散板に映りにくくなる。
【０１２８】
また、上記実施の形態及び実施の形態の変形例１〜３において、実施の形態の変形例２では、例えば実施の形態の筐体内の奥行きよりも小さい。筐体内の奥行きに応じて、筐体の内面の少なくとも一部の光の反射率を適宜変更してもよい。
【０１２９】
また、上記実施の形態及び実施の形態の変形例１〜３において、複数の白色光源及び複数の青色光源は、このような構成に限定されるものではなく、配線基板上にＬＥＤチップが直接的に実装されたＣＯＢ（Ｃｈｉｐ  Ｏｎ  Ｂｏａｒｄ）型のモジュールが用いられてもよい。また、複数の白色光源及び複数の青色光源が有する発光素子は、ＬＥＤに限定されるものではなく、例えば、半導体レーザ等の半導体発光素子、または、有機ＥＬ（Ｅｌｅｃｔｒｏ  Ｌｕｍｉｎｅｓｃｅｎｃｅ）及び無機ＥＬ等のＥＬ素子等その他の固体発光素子であってもよい。
【０１３０】
また、上記実施の形態及び実施の形態の変形例１〜３において、制御部は、タイマー機能を有していてもよい。また、制御部は、例えば、所定の時刻になれば（所定の時間を経過すれば）、タイマー機能を用いて、光源の調光制御及び調色制御をしてもよい。
【０１３１】
また、上記実施の形態及び実施の形態の変形例１〜３において、光環境演出装置には操作部が電気的に接続されているが、無線通信を行うリモコンにより光環境演出装置を操作（電源のオン、オフ等の操作）することができてもよい。無線通信は、リモコンと無線通信を行う通信部を光環境演出装置に設けることにより実現する。通信部は、例えば、ＺｉｇＢｅｅ（登録商標）、Ｗｉ−Ｆｉ（登録商標）、Ｂｌｕｅｔｏｏｔｈ（登録商標）などの近距離無線機能を有する装置である。
【０１３２】
その他、実施の形態、実施の形態の変形例１〜３及びその他変形例等に対して当業者が思いつく各種変形を施して得られる形態、本発明の趣旨を逸脱しない範囲で実施の形態、実施の形態の変形例１〜３及びその他変形例等における構成要素及び機能を任意に組み合わせることで実現される形態も本発明に含まれる。
【符号の説明】
【０１３３】
１、１ａ、１ｂ、１ｃ、１ｄ、２０１ａ、２０１ｂ、２０１ｃ、２０１ｄ、３０１ａ、３０１ｂ、３０１ｃ、３０１ｄ、４０１ａ、４０１ｂ  光環境演出装置（第１光環境演出装置、第２光環境演出装置）
３、３ａ、３ｂ、３ｃ、３ｄ、２３０ａ、２３０ｂ、２３０ｃ、２３０ｄ、３３０ａ、３３０ｂ、３３０ｃ、３３０ｄ、４３０ａ、４３０ｂ  筐体
３ｃ  収容開口部（開口部）
５  拡散板
３１ａ  底壁部
３２  枠部
３４  遮光突出部
４１、１４１、２４１、３４１  光拡散面
６０  光源
１００、２００、３００、４００  光環境演出システム
【図１】
2018170156.tif 000003
【図２】
2018170156.tif 000004
【図３】
2018170156.tif 000005
【図４】
2018170156.tif 000006
【図５】
2018170156.tif 000007
【図６】
2018170156.tif 000008
【図７】
2018170156.tif 000009
【図８】
2018170156.tif 000010
【図９】
2018170156.tif 000011